(57)【要約】【課題】  構成部材の削減を図ると共に、取付を容易にし、かつ、強度の向上を図れるようにすること。【解決手段】  床、ベランダ等のスラブに取り付けられる収納枠２と、収納枠に枢着される上方蓋３及び下方蓋４と、上方蓋の開閉に連動して下方蓋を開閉し、かつ開放されたとき上方蓋をほぼ直立状に固定維持するリンク機構５と、収納枠内に折り畳まれて収納され、上方蓋及び下方蓋が開かれたとき、階下の床若しくはその付近まで伸長する梯子とを具備する避難装置において、リンク機構を、収納枠に枢着されるベルクランク５０と、ベルクランクと上方蓋とに枢着される上部リンク５１と、ベルクランクと下方蓋とに枢着される下部リンク５２とで構成し、ベルクランクと下部リンクとの枢着部を、下方蓋の回転がベルクランク側に伝達されるのを吸収により阻止すべく下部リンクの長手方向に沿って穿設された長孔５２ａ内に摺動可能に形成してなる。【選択図】    図４
2006223509.tif 000002
【特許請求の範囲】
【請求項１】
床、ベランダ等のスラブに設けられた孔部に取り付けられる収納枠と、この収納枠の床面側及び天井面側にそれぞれ枢着される上方蓋及び下方蓋と、これら上方蓋及び下方蓋を互いに連結し、上方蓋の開閉に連動して下方蓋を開閉し、かつ開放されたとき上方蓋をほぼ直立状に固定維持するリンク機構と、上記収納枠内に折り畳まれて収納されると共に、上記上方蓋及び下方蓋が開かれたとき、階下の床若しくはその付近まで伸長する梯子とを具備する避難装置において、
上記リンク機構を、上記収納枠に枢着されるベルクランクと、このベルクランクの上端部と上記上方蓋とに枢着される上部リンクと、上記ベルクランクの下端部と上記下方蓋とに枢着される下部リンクとで構成し、
上記ベルクランクと下部リンクとの枢着部を、上記下方蓋の回転が上記ベルクランク側に伝達されるのを吸収により阻止すべく下部リンクの長手方向に沿って穿設された長孔内に摺動可能に形成してなる、ことを特徴とする避難装置における蓋の取付構造。
【請求項２】
請求項１記載の避難装置における蓋の取付構造において、
上記下方蓋は、この下方蓋と下部リンクとの枢着部を構成する起立壁と、この起立壁の先端から折曲される補強用のフランジとを具備すると共に、上記枢着部の近傍における起立壁の先端縁とフランジの先端縁に曲線状に屈曲する絞り加工部を具備する、ことを特徴とする避難装置における蓋の取付構造。
【請求項３】
請求項１又は２記載の避難装置における蓋の取付構造において、
上記下部リンクと下方蓋との枢着部における互いに当接する下部リンク又は下方蓋のうちの一方に、筒状枢軸を一体に形成し、上記筒状枢軸を、上記枢着部の他方に設けられた透孔内に嵌挿させると共に、筒状枢軸を貫通する枢支用ボルトの突出部にナットを螺合してなる、ことを特徴とする避難装置における蓋の取付構造。
【発明の詳細な説明】
【技術分野】
【０００１】
この発明は避難装置における蓋の取付構造に関するもので、更に詳細には、床、ベランダ等のスラブに設けられた孔部に取り付けられる収納枠と、この収納枠内に折り畳まれて収納される避難用の梯子と、収納枠の床面側及び天井面側にそれぞれ枢着される上方蓋及び下方蓋と、上方蓋と下方蓋とを連動開閉するリンク機構とを具備する避難装置における蓋の取付構造の改良に係るものである。
【背景技術】
【０００２】
一般に、この種の避難装置として、床、ベランダ等のスラブに設けられた孔部に取り付けられる収納枠と、この収納枠の床面側及び天井面側にそれぞれ枢着される上方蓋及び下方蓋と、これら上方蓋及び下方蓋を互いに連結し、上方蓋の開閉に連動して下方蓋を開閉し、かつ開放されたとき上方蓋をほぼ直立状に固定維持するリンク機構と、収納枠内に折り畳まれて収納されると共に、上方蓋及び下方蓋が開かれたとき、階下の床若しくはその付近まで伸長する梯子とを具備するものが知られている。
【０００３】
上記のように構成される避難装置において、一般に、上方蓋の開閉に連動して下方蓋が開閉し得るように構成されており、下方蓋が開放されたとき、風圧等の影響で下方蓋が若干揺れてもリンク機構を介して上方蓋に伝わらないようにリンク機構に吸収機能を具備している。従来においては、上記リンク機構を、収納枠に枢着されるベルクランクと、このベルクランクの上端部と上方蓋とに枢着される上部リンクと、ベルクランクの下端部と下方蓋に固着されるブラケットとに枢着される下部リンクとで構成している。そして、下部リンクとブラケットとの枢着部に上記吸収機能をもたせるために、下部リンクに長手方向に沿う長孔を設け、この長孔内に枢着部を摺動可能に形成している（例えば、特許文献1参照）。
【０００４】
上記のように下方蓋に固着されるブラケットと下部リンクとを枢着することにより、最大に荷重がかかる下方蓋と下部リンクとの枢着部に強度を持たせることができる。
【特許文献１】特許第３２０５８１０号公報（特許請求の範囲、図２）
【発明の開示】
【発明が解決しようとする課題】
【０００５】
しかしながら、特許第３２０５８１０号公報に記載の構造においては、構成部材が多い上、下方蓋に固着されるブラケットを介して下部リンクを取り付けるため、下方蓋の取付に手間を要するという問題があった。
【０００６】
この発明は、上記事情に鑑みてなされたもので、構成部材の削減を図ると共に、取付を容易にし、かつ、強度の向上を図れるようにした避難装置における蓋の取付構造を提供することを目的とするものである。
【課題を解決するための手段】
【０００７】
上記課題を解決するために、請求項１記載の発明は、床、ベランダ等のスラブに設けられた孔部に取り付けられる収納枠と、この収納枠の床面側及び天井面側にそれぞれ枢着される上方蓋及び下方蓋と、これら上方蓋及び下方蓋を互いに連結し、上方蓋の開閉に連動して下方蓋を開閉し、かつ開放されたとき上方蓋をほぼ直立状に固定維持するリンク機構と、上記収納枠内に折り畳まれて収納されると共に、上記上方蓋及び下方蓋が開かれたとき、階下の床若しくはその付近まで伸長する梯子とを具備する避難装置において、  上記リンク機構を、上記収納枠に枢着されるベルクランクと、このベルクランクの上端部と上記上方蓋とに枢着される上部リンクと、上記ベルクランクの下端部と上記下方蓋とに枢着される下部リンクとで構成し、  上記ベルクランクと下部リンクとの枢着部を、上記下方蓋の回転が上記ベルクランク側に伝達されるのを吸収により阻止すべく下部リンクの長手方向に沿って穿設された長孔内に摺動可能に形成してなる、ことを特徴とする。
【０００８】
このように構成することにより、リンク機構を、収納枠に枢着されるベルクランクと、ベルクランクと上方蓋とに枢着される上部リンク及びベルクランクと下方蓋とに枢着される下部リンクとで構成することができる。また、開放時に下方蓋が風圧を受けた場合には、ベルクランクと下部リンクとの枢着部が、下部リンクに設けられた長孔内を摺動することで吸収して、上方蓋の閉鎖移動を阻止することができる。
【０００９】
また、請求項２記載の発明は、請求項１記載の避難装置における蓋の取付構造において、上記下方蓋は、この下方蓋と下部リンクとの枢着部を構成する起立壁と、この起立壁の先端から折曲される補強用のフランジとを具備すると共に、上記枢着部の近傍における起立壁の先端縁とフランジの先端縁に曲線状に屈曲する絞り加工部を具備する、ことを特徴とする。
【００１０】
このように構成することにより、下方蓋自体に強度をもたせることができる他、下部リンクと下方蓋との枢着部の近傍における起立壁の先端縁とフランジの先端縁に曲線状に屈曲する絞り加工部を設けることにより、最大荷重がかかる下方蓋における下部リンクとの枢着部に強度をもたせることができる。
【００１１】
また、請求項３記載の発明は、請求項１又は２記載の避難装置における蓋の取付構造において、上記下部リンクと下方蓋との枢着部における互いに当接する下部リンク又は下方蓋のうちの一方に、筒状枢軸を一体に形成し、上記筒状枢軸を、上記枢着部の他方に設けられた透孔内に嵌挿させると共に、筒状枢軸を貫通する枢支用ボルトの突出部にナットを螺合してなる、ことを特徴とする。
【００１２】
このように構成することにより、下部リンク又は下方蓋の一方に一体に形成された筒状枢軸を、枢着部の他方に設けられた透孔内に嵌挿し、筒状枢軸を貫通する枢支用ボルトの突出部にナットを螺合して下部リンクと下方蓋とを枢着することができる。
【発明の効果】
【００１３】
この発明の避難装置における蓋の取付構造は、上記のように構成されているので、以下のような効果が得られる。
【００１４】
（１）請求項１記載の発明によれば、リンク機構を、収納枠に枢着されるベルクランクと、ベルクランクと上方蓋とに枢着される上部リンク及びベルクランクと下方蓋とに枢着される下部リンクとで構成することができるので、構成部材の削減が図れる。また、開放時に下方蓋が風圧を受けた場合には、ベルクランクと下部リンクとの枢着部が、下部リンクに設けられた長孔内を摺動することで吸収して、上方蓋の閉鎖移動を阻止することができるので、安全性の向上を図ることができる。
【００１５】
（２）請求項２記載の発明によれば、下方蓋自体に強度をもたせることができる他、下部リンクと下方蓋との枢着部の近傍における起立壁の先端縁とフランジの先端縁に曲線状に屈曲する絞り加工部を設けることにより、最大荷重がかかる下方蓋における下部リンクとの枢着部に強度をもたせることができるので、上記（１）に加えて、更に強度の向上を図ることができる。
【００１６】
（３）請求項３記載の発明によれば、下部リンク又は下方蓋の一方に一体に形成された筒状枢軸を、枢着部の他方に設けられた透孔内に嵌挿し、筒状枢軸を貫通する枢支用ボルトの突出部にナットを螺合して下部リンクと下方蓋とを枢着することができるので、上記（１），（２）に加えて、更に下部リンクと下方蓋との枢着部の組み付けを容易にすることができると共に、ガタツキのない強固な取付とすることができる。
【発明を実施するための最良の形態】
【００１７】
以下に、この発明の最良の実施形態を添付図面に基づいて詳細に説明する。
【００１８】
図１は、この発明に係る蓋の取付構造を適用した避難装置の使用状態（展開状態）を示す斜視図、図２は、避難装置の使用状態の要部を示す斜視図である。
【００１９】
この発明に係る避難装置は、床、ベランダ等のスラブ１に設けられた角形状の孔部１ａに取付けられる方形状の収納枠２と、この収納枠２の床面側及び天井面側にそれぞれ上部支持軸７ａ及び下部支持軸７ｂによって枢着される上方蓋３及び下方蓋４と、上方蓋３及び下方蓋４を互いに連結し、上方蓋３の開閉に連動して下方蓋４を開閉し、かつ開放されたとき上方蓋３をほぼ直立状に固定維持するリンク機構５と、収納枠２内に折り畳まれて収納されると共に上方蓋３及び下方蓋４が開かれたとき、階下の床若しくはその付近まで伸長する梯子６と、上方蓋３及び下方蓋４が開かれた後、梯子６の降下を開始し、梯子６の伸長降下速度を制御し、かつ梯子６を引上げ収納するための緩降機２０とで構成されている。なお、梯子６は、複数の縦桟６ａをパンタグラフ式に枢着した一対の伸縮体６ｃ間に複数の横桟６ｂが適宜間隔をおいて横架された構造となっている。また、上方蓋３の下面略中央部には手掛け部３０が装着されている。
【００２０】
上記収納枠２は、上部側にスラブ１内に下方の一部が埋設される段部２ａを有し、かつ下端には外向きのＬ形状の下部フランジ２ｂを折曲した４個の側壁部２ｃを方形状に枠組みした構造となっている。
【００２１】
上記のように構成される収納枠２の対向する側壁部２ｃの内側面には、それぞれ下部支持軸７ｂが突設されており、この下部支持軸７ｂに下方蓋４が開閉可能及び着脱可能に枢着されている。この下部支持軸７ｂは、収納枠２に穿設された透孔（図示せず）に外側から貫挿されて、例えばスポット溶接によって固着された状態で突設されている。このように下部支持軸７ｂを溶接固定することにより、現場でのコンクリートの打設によって収納枠２をスラブ１内に埋設した後の下方蓋４の交換を容易にすることができる。
【００２２】
上記リンク機構５は左右一対設けられており、各リンク機構５は、収納枠２の対向する側壁部２ｃの内面に枢着される垂直方向に回転可能なベルクランク５０と、このベルクランク５０の上部側の第１の腕部５０ａの上端側と上方蓋３の裏面に装着されるブラケット３ａとにそれぞれ回転可能に枢着される上部リンク５１と、ベルクランク５０の下部側の第２の腕部５０ｂと下方蓋４とにそれぞれ回転可能に枢着される下部リンク５２とで構成されており、ベルクランク５０と下部リンク５２との枢着部において下部リンク５２の長手方向に沿って摺動可能に形成されている。
【００２３】
この場合、ベルクランク５０は、図５に示すように、両側縁に折曲片５０ｃを有する断面コ字状に形成されて強度の維持が図られており、かつ、中間部には収納枠２に形成された筒状枢軸２ｅを嵌挿する透孔５３ａが穿設され、また、第１の腕部５０ａ及び第２の腕部５０ｂにおける上部リンク５１及び下部リンク５２との枢着部には、図７及び図８に示すように、筒状枢軸５３ｂ，５３ｃが例えばバーリング加工によって一体に形成されている。また、ベルクランク５０における上部リンク５１との枢着部側の縁部及び折曲片５０ｃには凹状のストッパ用段部５４が設けられている。
【００２４】
なお、ベルクランク５０と収納枠２との枢着部は、図７に示すように、収納枠２の側壁部２ｃに形成された内方に向かって膨隆する略截頭円錐状の取付部２ｄに例えばバーリング加工によって一体に形成された筒状枢軸２ｅを、ベルクランク５０に穿設された透孔５３ａ内に若干突出させた状態で嵌挿し、筒状枢軸２ｅ内に第１の枢支用ボルト５５ａを貫通し、第１の枢支用ボルト５５ａの突出部に座金５６ａを介してナット５７ａを螺合することによって構成される。
【００２５】
上部リンク５１は、図５に示すように、両側縁部に折曲片５１ａを有する断面コ字状に形成されて強度の維持が図られており、ベルクランク５０との枢着側端部には、ベルクランク５０の筒状枢軸５３ｂを嵌挿する透孔５１ｂが穿設され、かつ透孔５１ｂより先端側の両側縁部には、ベルクランク５０のストッパ用段部５４に係合可能なストッパ片５８が形成されている。なお、上部リンク５１の上方蓋３との枢着部側端部には透孔５１ｃが穿設されており、この透孔５１ｃ内に上方蓋３の裏面に固着されるブラケット３ａに設けられた筒状枢軸３ｂが若干突出した状態で嵌挿され、筒状枢軸３ｂ内を貫通する第２の枢支用ボルト５５ｂと、この第２の枢支用ボルト５５ｂの突出部に座金５６ｂを介してナット５７ｂを螺合することによって構成されている（図７参照）。
【００２６】
また、上部リンク５１とベルクランク５０との枢着部は、図７に示すように、ベルクランク５０の筒状枢軸５３ｂを上部リンク５１の透孔５１ｂ内に若干突出させた状態で嵌挿した後、透孔５１ｂから突出する筒状枢軸５３ｂの端部をかしめによって外側に折曲することによって形成される。したがって、ボルト、ナット等の枢着部材を用いる必要がなく、簡単にベルクランク５０と上部リンク５１とを回転可能に連結することができ、かつベルクランク５０と上部リンク５１間のガタツキを防止することができる。
【００２７】
下部リンク５２は、図５及び図８に示すように、ベルクランク５０との枢着部側端部には、下部リンク５２の長手方向に沿う長孔５２ａが穿設され、下方蓋４との枢着部側端部には、筒状枢軸５２ｂが例えばバーリング加工によって一体に形成されている。この場合、長孔５２ａ内には、ベルクランク５０に設けられた筒状枢軸５３ｃが摺動可能に若干突出した状態で嵌挿され、筒状枢軸５３ｃ内を貫通する第３の枢支用ボルト５５ｃと、この第３の枢支用ボルト５５ｃの突出部に座金５６ｃを介して螺合するナット５７ｃとで枢着部が構成されている（図８参照）。また、上記ベルクランク５０と収納枠２との枢着部及び上部リンク５１と上方蓋３との枢着部と同様に、下部リンク５２に設けられた筒状枢軸５２ｂは、下方蓋４に設けられた対向する起立壁４２，４４に穿設された透孔４６内に若干突出した状態で嵌挿され、筒状枢軸５２ｂ内を貫通する第４の枢支用ボルト５５ｄと、この第４の枢支用ボルト５５ｄの突出部に座金５６ｄを介して螺合するナット５７ｄとで枢着部が構成されている（図８参照）。
【００２８】
上記のように、下部リンク５２と下方蓋４との枢着部において、下方蓋４の起立壁４２，４４に設けられた透孔４６内に、下部リンク５２に設けられた筒状枢軸５２ｂを若干突出させた状態で嵌挿し、筒状枢軸５２ｂ内に第４の枢支用ボルト５５ｄを貫通し、その突出部にナット５７ｄを螺合することにより、下部リンク５２と下方蓋４は圧接されないため、互いに滑らかな回動が得られる。このことは、上記ベルクランク５０と収納枠２との枢着部、上部リンク５１と上方蓋３との枢着部においても同様に、枢着される両部材は圧接されないため、互いに滑らかな回動が得られる。
【００２９】
また、ベルクランク５０と下部リンク５２との枢着部において、下部リンク５２に設けられた長孔５２ａ内に、ベルクランク５０に設けられた筒状枢軸５３ｃを若干突出させた状態で嵌挿し、筒状枢軸５３ｃ内に第３の枢支用ボルト５５ｃを貫通し、その突出部にナット５７ｃを螺合することにより、ベルクランク５０と下部リンク５２は圧接されないため、互いに滑らかな回動及び摺動が得られる。
【００３０】
なお、上記実施形態で説明した、筒状枢軸５２ｂ，３ｂ，２ｅと透孔４６，５１ｃ，５３ａを逆に設けてもよい。
【００３１】
上記下方蓋４は、図２及び図６に示すように、方形状の蓋基部４０の四辺に起立壁４１，４２，４３，４４が折曲されており、左右の対向する起立壁４２，４４における端部側すなわち開閉基端側には、下部支持軸７ｂが貫挿可能な回転孔４５が穿設されている。また、起立壁４２，４４における回転孔４５より下方蓋４の開閉自由端側には、リンク機構５の下部リンク５２を枢着する透孔４６が穿設されている（図８参照）。また、下方蓋４における左右の起立壁４２，４４の透孔４６より自由端側の部位には、それぞれ補強用の外向きフランジ４７が折曲されている。この場合、起立壁４２，４４の外向きフランジ４７は、透孔４６が設けられた部位の起立壁４２，４４の先端縁から外向きフランジ４７の先端縁に向かって曲線状に屈曲する絞り加工部４８を介して連続的に設けられている。このように、曲線状に屈曲する絞り加工部４８を介して起立壁４２，４４と外向きフランジ４７とを連続的に形成することにより、下方蓋４に最大の荷重がかかる透孔４６部の強度を高めることができると共に、下方蓋４の強度を高めることができる。
【００３２】
上記のように構成されるリンク機構５を避難装置に組付けるには、まず、ベルクランク５０と上部リンク５１及び下部リンク５２とを上述のように枢着してベルクランク５０と上部リンク５１とを枢着すると共に、ベルクランク５０と下部リンク５２とを回動及び摺動可能に枢着して一体に形成する。次に、上部リンク５１を上方蓋３のブラケット３ａに枢着すると共に、下部リンク５２を下方蓋４の起立壁４２，４４に枢着すればよい。
【００３３】
上記のように構成されるこの発明の蓋の開閉構造において、上方蓋３あるいは下方蓋４を閉鎖させると、ベルクランク５０は第１の腕部５０ａ及び第２の腕部５０ｂを収納枠２との枢着部より上に位置させた状態となって上部リンク５１及び下部リンク５２を収納枠２内に納める（図３参照）。この状態から、上方蓋３が上部支持軸７ａを支点として開放移動すると、図４に示すように、ベルクランク５０は反時計方向に回転して、第１の腕部５０ａを上方側に、第２の腕部５０ｂを下方側にそれぞれ移動する。そして、上方蓋３が直角に回転したとき、上部リンク５１のストッパ片５８がベルクランク５０のストッパ用段部５４に当接係合して、上方蓋３の開放移動が阻止されると共に、上方蓋３の閉鎖方向の移動が阻止される（図４参照）。
【００３４】
また、開放状態において、風圧等によって下方蓋４が煽られて水平方向の荷重を受けて下部支持軸７ｂを支点として回転しても、下部リンク５２とベルクランク５０とは摺動可能に枢着されているため、ベルクランク５０と下部リンク５２との枢着部で下方蓋４の回転を吸収することができ、下方蓋４の回転がリンク機構５を介して上方蓋３に伝達されることがない。したがって、不用意に上方蓋３が閉鎖する危険性を防止することができる。
【図面の簡単な説明】
【００３５】
【図１】この発明に係る避難装置の使用状態（展開状態）を示す斜視図である。
【図２】上記避難装置の使用状態の要部を示す斜視図である。
【図３】この発明における上方蓋及び下方蓋の閉鎖状態を示す断面図である。
【図４】上記上方蓋及び下方蓋の開放状態を示す断面図である。
【図５】この発明におけるリンク機構の構成部材を示す分解斜視図である。
【図６】この発明における下部リンクと下方蓋の枢着部を示す斜視図である。
【図７】この発明におけるベルクランクと収納枠及び上部リンクとの枢着部を示す断面図である。
【図８】この発明における下部リンクとベルクランク及び下方蓋との枢着部を示す断面図である。
【符号の説明】
【００３６】
１  スラブ
２  収納枠
３  上方蓋
４  下方蓋
５  リンク機構
６  梯子
４２，４４  起立壁
４６  透孔
４７  外向きフランジ
４８  絞り加工部
５０  ベルクランク
５１  上部リンク
５２  下部リンク
５２ａ  長孔
５３ｃ  筒状枢軸
５５ｃ  枢支用ボルト
５７ｄ  ナット
【図１】
2006223509.tif 000003
【図２】
2006223509.tif 000004
【図３】
2006223509.tif 000005
【図４】
2006223509.tif 000006
【図５】
2006223509.tif 000007
【図６】
2006223509.tif 000008
【図７】
2006223509.tif 000009
【図８】
2006223509.tif 000010